(57)【要約】【課題】水と溶解若しくは反応して短時間でガスを発生するガス発生剤を用いてガスを水に溶解する場合に、発生するガスを空気中に気散させることなく水に溶解させることである。【解決手段】容器の開口部に装着して該容器の外蓋を被せて密閉される容器の内蓋であって、前記内蓋は隔壁で囲まれた内部空間を有しており、前記隔壁の一部が球状体で構成されており、前記球状体は容器を内蓋と外蓋で容器を密閉後に前記容器を傾斜若しくは倒立すると可動する状態にある密閉容器の内蓋を用意する。この内蓋にガス発生剤を水と接触しないように入れて、水の入った容器開口部に挿入して外蓋で容器を密閉する。その後容器を傾斜若しくは倒立させる。【選択図】図１
0003164045.tif 000002
【実用新案登録請求の範囲】
【請求項１】
容器の開口部に装着して該容器の外蓋を被せて密閉される容器の内蓋であって、前記内蓋は隔壁で囲まれた内部空間を有しており、前記隔壁の一部が球状体で構成されており、前記球状体は容器を内蓋と外蓋で容器を密閉後に前記容器を傾斜若しくは倒立すると可動する状態にあることを特徴とする密閉容器の内蓋。
【請求項２】
球状体以外の隔壁に隔壁を貫通する細孔が存在する請求項１の密閉容器の内蓋。
【請求項３】
傾斜若しくは倒立させたとき球状体が内蓋の内部空間から離脱するのを防ぐ離脱防止具が存在する請求項１又は２の内蓋。
【考案の詳細な説明】
【技術分野】
【０００１】
本考案はＰＥＴボトルなどの容器中の水、各種飲料水やお酒などの水若しくは水溶液に炭酸ガスや水素ガスを容器外に気散することなく溶解させるためのガス発生用の内蓋に関する。
【背景技術】
【０００２】
炭酸ガスを飲料水などに溶解した清涼飲料水が古くから知られている。最近、水素ガスを溶解した水が人の健康に資するということで市場に登場し始めた。水素ガスを溶解した水は水素水と呼ばれているが、その製造方法は大きく２種類に分類される。  一つは、工場などで飲料水に水素ガスを加圧溶解してそれを容器に充填する方法である（特許文献１）。他の方法は水と反応して水素を発生するマグネシウム金属粉末などの水素発生剤を用いて、水の入った容器内に水素発生剤を投入して密閉し、発生する水素を水に溶解させて水素水を調整する方法である（特許文献２）。
【０００３】
水素は気体中で一番分子量が小さくそのために水素水を調整して容器に密閉しても、保存中に気散してしまう欠点がある。従って、工場で水素水を調整して容器に詰めても保存や流通過程で水素が容器から気散してしまい、消費者の手元に渡った時点ではかなり水中の溶存水素濃度（ＤＨと略す）が低下したものとなってしまう欠点があった。  一方、水素発生剤を使用する方法は、水素水を飲む直前に水素水を調整することが出来るので上記のような課題は解決されるが、マグネシウム金属は水との反応が遅く水素水を調整するのに時間を要したり、未反応の金属残渣が水中に残存する欠点があった。
【０００４】
本考案者は最近、水との反応が早い水素化マグネシウム（ＭｇＨ２）や水素化カルシウム（ＣａＨ２）などの水素化合物を用いた新規な水素発生剤を開発してこれらの欠点を解決した（特許文献３）。しかしながら、これらの水素発生剤は水素化合物の種類や組成によっては水との反応が早いため、水を入れた容器に水素発生剤を投入して密栓をする間に水素が発生して容器の開口部から空気中に気散してしまう課題が見つかった。
【先行技術文献】
【特許文献】
【０００５】
【特許文献１】特開２００５−１７７７２４号公報
【特許文献２】特開２００７−１６３３号公報
【特許文献３】ＷＯ２００７／０５５１４６号公報
【考案の概要】
【考案が解決しようとする課題】
【０００６】
水と反応若しくは溶解して短時間でガスを発生するガス発生剤を用いてガスを水に溶解する場合に、発生するガスを空気中に気散させることなく水に溶解させることである。
【課題を解決するための手段】
【０００７】
容器の開口部に装着して該容器の外蓋を被せて密閉される容器の内蓋であって、前記内蓋は隔壁で囲まれた内部空間を有しており、前記隔壁の一部が球状体で構成されており、前記球状体は容器を内蓋と外蓋で容器を密閉後に前記容器を傾斜若しくは倒立すると可動する状態にある密閉容器の内蓋を用いることによって解決される。
【０００８】
上記内蓋に於いて球状体以外の隔壁に隔壁を貫通する細孔が存在するのが好ましく、また傾斜若しくは倒立させたとき球状体が内蓋の内部空間から離脱するのを防ぐ離脱防止具が存在する内蓋が好ましい。
【考案の効果】
【０００９】
本考案の内蓋を用いることにより、水と反応若しくは溶解してガスを短時間で発生するガス発生剤のガスを大気中に気散させることなく容器内の水に溶解させることが出来た。
【図面の簡単な説明】
【００１０】
【図１】図１は本考案の内蓋の１例である。ａ）はその断面図、ｂ）はその上面図である。
【図２】図２は容器の開口部に図１の内蓋を挿入してガス発生剤を内蓋に入れて外蓋で密閉した状態の断面図である。
【図３】図３は図２の密閉容器を倒立させた状態の断面図である。
【図４】図４は本考案の内蓋の別の例である。ａ）はその断面図、ｂ）はその上面図である。
【図５】図５は本考案の内蓋の別の例である。ａ）はその断面図、ｂ）はその上面図である。
【図６】図６は本考案の内蓋と外蓋を用いて水の入った容器を密閉した状態で容器の正立図と倒立図である。
【考案を実施するための形態】
【００１１】
本考案が有効的に使用されるガス発生剤は水と反応若しくは溶解して短時間でガスを発生するもので、ガスとしては炭酸ガスや水素ガスが考えられる。炭酸ガスの発生剤としては、炭酸水素ナトリウム、炭酸ナトリウムなどの重炭酸塩や炭酸塩とクエン酸、コハク酸、シュウ酸などの有機酸を混合したものが代表的である。また、水が既に上記重炭酸塩や炭酸塩を溶解した水溶液の場合は有機酸が炭酸ガス発生剤となるし、水が既にクエン酸や酢酸、塩酸などの酸を含むものであれば、上記重炭酸塩や炭酸塩が炭酸ガス発生剤となる。
【００１２】
一方、水と接触して短時間で水素ガスを発生するガス発生剤としては水素化リチウム、水素化ナトリウムなどの水素化アルカリ金属、水素化マグネシウム（ＭｇＨ２）、水素化カルシウム（ＣａＨ２）などの水素化アルカリ土類金属、水素化ホウ素ナトリウムや水素化ホウ素カリウムなどの水素化ホウ素金属塩などが例示される。これらの水素発生剤はいずれも水と化学反応して水素を発生するものであり、その反応速度が水素発生剤の種類によって異なるがいずれもマグネシウム金属に比べて格段に早いのが特徴である。
【００１３】
ＭｇＨ２や水素化ホウ素金属塩は酸が存在すると反応速度は速くなる。一方、ＣａＨ２は酸の存在は必要なく水との反応が著しく早い。従って、反応速度を遅くするためにトレハロースやポリエチレングリコールなどの水溶性化合物中に溶融・包埋して反応速度を遅くした水素発生剤として用いるのが好ましい。また、ＣａＨ２やＭｇＨ２は水と反応してアルカリ性となるため、水素を溶解した水溶液が中性を必要とする場合は、中和する目的で前述の有機酸などとこれらの水素化アルカリ土類金属を混合して用いるか、予め酸性に調整した水溶液に水素発生剤を溶解することが必要である。
【００１４】
これらのガス発生剤の形態は粉末状、錠剤状、ブロック状など様々な形態で内蓋の内部空間に収納することができる。これらのガス発生剤は微量の水分とも反応してガスを発生するので、保存する場合は湿度のない状態例えばアルミ製の袋などに密閉保存するのが好ましい。
【００１５】
本考案の内蓋は使用時に水の入った容器の開口部に水と接触しないように挿入して、密閉用の外蓋でねじ方式やかん合方式等の手段で密閉される。その際に予め内蓋の内部空間にガス発生剤を投入して置き、外蓋で容器が密閉されるまではガス発生剤と水の接触は行わない（図６の正立図）。密閉後に容器を傾斜若しくは倒立させることで内蓋の隔壁を構成している可動可能な球状体が内蓋の内部空間へ移動するために、容器内の水が内蓋の内部空間に侵入してガス発生剤と接触してガスを発生する（図６の倒立図）。
【００１６】
発生したガスは容器の外部に気散出来ないので容器の空間部分に集まり、発生ガスの量に応じて容器内は加圧状態となる。ガスは微細な気泡となって発生するので、水中を上部空間へ移動する間にその一部は水に溶解する。また、上部空間に捕集されたガスは加圧状態であるのでその分圧に応じて水にガスは溶解する。このようにして有効にガスを水に溶解させることが出来る。ガスの溶解が完了した時点で密閉容器を正立状態に戻して外蓋を開けて内蓋を取り出して容器内の水を利用することが出来る。
【００１７】
このような発生したガスを空気中に逃がさずに完全に水中に溶解できる機能は、単に飲料用の水素水や炭酸水を効率的に調整できるだけでなく、分析技術においても有用である。たとえば炭酸水の場合、炭酸水素ナトリウムとクエン酸等の有機酸から炭酸ガスを発生させてそれを水に溶解して炭酸水を調整する。その場合、化学反応式から1モルの炭酸水素ナトリウムから1モルの炭酸ガスが発生するから炭酸水中に含まれる炭酸ガスの濃度が理論的に決定される。即ち、この反応で発生した炭酸ガスを空気中に逃がさずに完全に溶解させた炭酸水の炭酸ガス濃度をガスクロマグラフ法で測定するとそのクロマトグラフの面積が理論炭酸ガス濃度に等しいことになる。これは分析技術に於いて必要な正確な検量線の作成に繋がるものである。
【００１８】
以下にポリエチレンテレフタレート製ボトル（以降ＰＥＴボトルと略す）を容器にして本考案の内蓋を用いてガスを水に溶解する場合について図面を用いて説明する。第１図は本考案内蓋の１例である。材質は金属、セラミック、プラスチック等が例示されるが、プラスチックが加工性の点から好ましい。ａ）はその断面図、ｂ）は上面図で１は内蓋の本体でＰＥＴボトルの開口部に挿入可能な円筒状の側隔壁と円筒の底に配置されて隔壁の一部を構成する可動可能な球状体３で内部空間２が形成されている。
【００１９】
図２はＰＥＴボトル４に水を入れて図１の内蓋に粉末状のガス発生剤５を投入してボトル開口部に挿入し、外蓋６でボトルを密閉した状態の断面図である。７は密閉性を保つためのパッキン材である。球状体３を真球に近く加工することで内蓋の底の密閉性は保たれて粉末状のガス発生剤は内蓋からこぼれないようにしてある。
【００２０】
図３は図２の密閉ＰＥＴボトルを倒立させた状態の断面図である。可動可能な球状体は倒立により重力と水圧で内蓋の底から落下し外蓋まで移動する。同時にガス発生剤も落下するが球状体が構成していた隔壁がなくなるので水が浸入してガス発生剤と接触してガスが一気に発生する。８はガスの気泡である。
【００２１】
図４は本考案内蓋の別の例を示した図である。ａ）はその断面図、ｂ）は上面図である。本例では円筒状の側隔壁の上部に貫通孔９を複数個設けてあり、これにより密閉容器を倒立させた際に、水の浸入が図１の例に比べてさらに容易となる。
【００２２】
図５は本考案内蓋の別の例を示した図である。ａ）はその断面図、ｂ）は上面図である。本例ではガス発生剤と水を接触させてガスを発生させた後に容器を正立させ開封してガスを溶解した水を飲用する場合、球状体を誤って飲み込むことがないように球状体が内蓋の内部空間から離脱しないに離脱防止具１０を内部空間上部に設けたものである。離脱防止具は内蓋へ固定されたものでも、脱着可能なものでも良い。
【００２３】
本考案で使用できる水は純水以外に各種のお茶、ミネラル水、天然水、ジュース類、焼酎やお酒など飲料出来るすべての水溶液が適用できる。また、酸やアルカリ性の水も含まれる。さらに、飲料以外に化粧水や美容液などの化粧料も、使用時に水素や炭酸ガスを溶解して美白効果や血行促進効果が期待できる化粧料に調整することができる。以下に実施例を援用して本考案をさらに詳しく説明する。
【実施例１】
【００２４】
無水トレハロースとアジピン酸の混合物をホットプレート上で溶融して、その中に硫酸ナトリウム、硫酸マグネシウム及び水素化カルシウム（ＣａＨ２）を添加して混合・撹拌した。この混合物を冷却して固化させることでＣａＨ２を溶融・包埋した水素発生剤を得た。固化した混合物を粉砕機で粉砕して粉末状の水素発生剤を調整した。この水素発生剤１ｇを水と反応させると３０ｍｌ（２５℃）の水素が発生した。
【００２５】
市販の５００ｍｌ炭酸水容器であるＰＥＴボトルの開口部に挿入できる図４の内蓋をポリカーボネート樹脂で作成した。円筒状の側隔壁の外径は１８ｍｍ、フランジ部も含めた高さは２５ｍｍとした。円筒状側隔壁の上部に１．５ｍｍの貫通孔を４ケ円周上に設けた。円筒状の底に直径が１０ｍｍのアクリル製球状体が座るために直径７ｍｍの円形切り口をテーパー付きでくり貫いた。また、ＰＥＴボトルを密閉するための外蓋をポリカーボネート樹脂で作成した。
【００２６】
市販の５００ｍｌ炭酸水ＰＥＴボトルに水道水を５００ｍｌ入れて上記で試作した内蓋を十分乾燥した後水に接触しないように容器開口部に挿入した。内蓋の内部空間に上記の水素発生剤１ｇを入れ試作した外蓋で密閉してＰＥＴボトルを倒立させた。倒立と同時に内蓋内の球状体が外蓋へ落下して微細な気泡が３０秒間激しく発生した。その後５分間倒立状態を保持してボトルを正立状態に戻して外蓋を開封した。内蓋内の水素発生剤は完全に溶解しており透明な水素水が得られた。水素水中の溶存水素濃度（ＤＨ）をポータブル溶存水素計（東亜ディーケーケー株式会社）で測定すると０．４ｐｐｍであった。
【産業上の利用可能性】
【００２７】
本考案は水素水や炭酸水を使用直前に効率よく調整できるので、飲料用や化粧料として人体の健康促進に役立つことが期待できる。また、水中のガス濃度分析技術にも校正液の調整法として有用である。
【符号の説明】
【００２８】
１    内蓋の本体
２    内蓋の内部空間
３    球状体
４    容器本体
５    ガス発生剤
６    外蓋
７    パッキン材
８    気泡
９    貫通孔
１０  離脱防止具
【図１】
0003164045.tif 000003
【図２】
0003164045.tif 000004
【図３】
0003164045.tif 000005
【図４】
0003164045.tif 000006
【図５】
0003164045.tif 000007
【図６】
0003164045.tif 000008